(57)【要約】【課題】ユーザが直感的に操作し易く、また、低コストで製造することができるスイッチ装置を提供する。【解決手段】スイッチ装置１は、主に、２段階操作が可能な操作部１０と、操作部１０になされた１段階目の第１の操作に基づいて第１の操作信号、及び操作部１０になされた２段階目の第２の操作に基づいて第２の操作信号を出力するスイッチ部１２と、スイッチ部１２から出力される第１の操作信号に基づいて外部装置３に表示された階層構造を有する画像群に含まれる画像の１つ上階層の画像、及び第２の操作信号に基づいて画像群の最上階層の画像を外部装置３に表示させる制御信号を出力する制御部１００と、を備えて概略構成されている。【選択図】図１
2011098689.tif 000002
【特許請求の範囲】
【請求項１】
２段階操作が可能な操作部と、
前記操作部になされた１段階目の第１の操作に基づいて第１の操作信号、及び前記操作部になされた２段階目の第２の操作に基づいて第２の操作信号を出力するスイッチ部と、
前記スイッチ部から出力される前記第１の操作信号に基づいて外部装置に表示された階層構造を有する画像群に含まれる画像の１つ上階層の画像、及び前記第２の操作信号に基づいて前記画像群の最上階層の画像を前記外部装置に表示させる制御信号を出力する制御部と、
を備えたスイッチ装置。
【請求項２】
前記２段階操作は、２段階のプッシュ操作である請求項１に記載のスイッチ装置。
【請求項３】
前記操作部は、さらにタッチ操作可能に構成され、
前記スイッチ部は、前記操作部になされた前記タッチ操作に基づいて第３の操作信号を出力する請求項２に記載のスイッチ装置。
【請求項４】
前記制御部は、前記操作部になされた前記タッチ操作によって前記スイッチ部から出力された前記第３の操作信号に基づいて前記１つ上階層の画像、及び前記最上階層の画像を縮小して同時に前記表示装置に表示させる制御信号を出力する請求項３に記載のスイッチ装置。
【請求項５】
前記制御部は、前記タッチ操作後、前記操作部になされた前記第１の操作により前記スイッチ部から出力された前記第１の操作信号に基づいて前記１つ上階層の画像を前記外部装置に表示させる制御信号、又は前記操作部になされた前記第２の操作により前記スイッチ部から出力された前記第２の操作信号に基づいて前記最上階層の画像を前記外部装置に表示させる制御信号を出力する請求項４に記載のスイッチ装置。
【発明の詳細な説明】
【技術分野】
【０００１】
本発明は、スイッチ装置に関する。
【背景技術】
【０００２】
従来の技術として、車両のステアリングに設けられたステアリングスイッチが知られている（例えば、特許文献１参照。）。
【０００３】
このステアリングスイッチは、補助スイッチを有し、補助スイッチは、なされたプッシュ操作に基づいて初期画面を表示装置に表示させるプッシュスイッチと、なされたプッシュ操作に基づいて１ステップ前の画面を表示装置に表示させるプッシュスイッチと、を備えている。
【０００４】
このステアリングスイッチによれば、ユーザは補助スイッチを操作することで、表示装置に表示された画像を、初期画面又は１ステップ前の画面に切り替えることができる。
【先行技術文献】
【特許文献】
【０００５】
【特許文献１】特開２００３−６３３２６号公報
【発明の概要】
【発明が解決しようとする課題】
【０００６】
しかし、従来のステアリングスイッチの補助スイッチは、２つのプッシュスイッチによって構成されるため、ユーザが直感的に操作し難く、また、部品点数が多いため、コストが高くなる。
【０００７】
本発明の目的は、ユーザが直感的に操作し易く、また、低コストで製造することができるスイッチ装置を提供することにある。
【課題を解決するための手段】
【０００８】
本発明の一態様は、２段階操作が可能な操作部と、前記操作部になされた１段階目の第１の操作に基づいて第１の操作信号、及び前記操作部になされた２段階目の第２の操作に基づいて第２の操作信号を出力するスイッチ部と、前記スイッチ部から出力される前記第１の操作信号に基づいて外部装置に表示された階層構造を有する画像群に含まれる画像の１つ上階層の画像、及び前記第２の操作信号に基づいて前記画像群の最上階層の画像を前記外部装置に表示させる制御信号を出力する制御部と、を備えたスイッチ装置を提供する。
【発明の効果】
【０００９】
本発明によれば、ユーザが直感的に操作し易く、また、低コストで製造することができる。
【図面の簡単な説明】
【００１０】
【図１】図１は、本発明の第１の実施の形態に係るスイッチ装置に関するブロック図である。
【図２】図２は、本発明の第１の実施の形態に係るスイッチ装置が配置された車両内部の概略図である。
【図３】図３は、本発明の第１の実施の形態に係るスイッチ装置とスイッチ装置に接続されたマルチファンクションスイッチの概略図である。
【図４】図４は、本発明の第１の実施の形態に係る記憶部に記憶された画像群の階層構造を示した概略図である。
【図５】図５（ａ）〜（ｂ）は、本発明の第１の実施の形態に係る表示部に表示された画像の概略図である。
【図６】図６（ａ）は、本発明の第１の実施の形態に係る表示部に表示された第３の画像の概略図であり、（ｂ）は、スイッチ装置に対する第１の操作に関する概略図であり、（ｃ）は、表示部に表示された第２の画像の概略図である。
【図７】図７（ａ）は、本発明の第１の実施の形態に係る表示部に表示された第３の画像の概略図であり、（ｂ）は、スイッチ装置に対する第２の操作に関する概略図であり、（ｃ）は、表示部に表示された第１の画像の概略図である。
【図８】図８は、本発明の第２の実施の形態に係るスイッチ装置に関するブロック図である。
【図９】図９（ａ）は、本発明の第２の実施の形態に係るタッチ操作に関する概略図であり、（ｂ）は、タッチ操作によって表示部に表示された画像の概略図である。
【図１０】図１０（ａ）は、本発明の第２の実施の形態に係る表示部に表示された第３の画像の概略図であり、（ｂ）は、スイッチ装置に対するタッチ操作に関する概略図であり、（ｃ）は、表示部に表示された選択画像の概略図であり、（ｄ）は、スイッチ装置に対する第１の操作に関する概略図であり、（ｅ）は、表示部に表示された第２の画像の概略図である。
【図１１】図１１（ａ）は、本発明の第２の実施の形態に係る表示部に表示された第３の画像の概略図であり、（ｂ）は、スイッチ装置に対するタッチ操作に関する概略図であり、（ｃ）は、表示部に表示された選択画像の概略図であり、（ｄ）は、スイッチ装置に対する第２の操作に関する概略図であり、（ｅ）は、表示部に表示された第１の画像の概略図である。
【発明を実施するための形態】
【００１１】
[第１の実施の形態]
（スイッチ装置の構成）
図１は、本発明の第１の実施の形態に係るスイッチ装置に関するブロック図である。スイッチ装置１は、主に、２段階操作が可能な操作部１０と、操作部１０になされた１段階目の第１の操作に基づいて第１の操作信号、及び操作部１０になされた２段階目の第２の操作に基づいて第２の操作信号を出力するスイッチ部１２と、スイッチ部１２から出力される第１の操作信号に基づいて外部装置３に表示された階層構造を有する画像群に含まれる画像の１つ上階層の画像、及び第２の操作信号に基づいて画像群の最上階層の画像を外部装置３に表示させる制御信号を出力する制御部１００と、を備えて概略構成されている。
【００１２】
操作部１０は、例えば、２段階にプッシュ操作が可能となるとように構成されている。以下では、１段階目のプッシュ操作を第１の操作とし、１段階目からさらに押し込んだプッシュ操作を第２の操作とする。
【００１３】
スイッチ部１２は、例えば、第１の操作を検出して第１の操作信号を出力する第１のスイッチ１４と、第２の操作を検出して第２の操作信号を出力する第２のスイッチ１６とを備えて概略構成されている。
【００１４】
この第１及び第２のスイッチ１４、１６は、例えば、プッシュ操作による操作部１０の変位に基づく接点の接触及び非接触でオン及びオフを切り替える周知の機械式スイッチ、又は操作部１０の変位を非接触で検出することでオン及びオフを切り替えるセンサスイッチ等の周知の非接触スイッチ等から概略構成されている。なお、この操作部１０及びスイッチ部１２は、周知の２段階にプッシュ操作が可能なスイッチで良い。また、操作部１０及びスイッチ部１２は、２段階の操作を検出可能であるものであれば良く、例えば、操作部１０とスイッチ部１２をタッチパッドで構成し、タッチパッドになされたジェスチャ操作によって第１及び第２の操作を検出する構成であっても良い。また、２段階の操作を検出可能であるスライドスイッチであっても良い。
【００１５】
制御部１００は、例えば、ＣＰＵ（Central Processing Unit）、ＲＡＭ（Random Access Memory）、ＲＯＭ（Read Only Memory）等から概略構成されている。
【００１６】
また、スイッチ装置１には、例えば、外部装置３に表示されたカーソル等を移動させる操作部として後述するマルチファンクションスイッチ２が接続されている。
【００１７】
図２は、本発明の第１の実施の形態に係るスイッチ装置が配置された車両内部の概略図である。車両５は、操舵装置の操作部であるステアリング５０を有し、ステアリング５０は、図示しないステアリングシャフトと接続する基部５１と、リング形状を有し、基部５１の周囲に配置され、ユーザの操作によって基部５１と共に回転するステアリングホイール５２とを備えて概略構成されている。
【００１８】
スイッチ装置１は、図２に示すように、車両５のステアリング５０の基部５１に配置されている。ユーザは、ステアリングホイール５２を把持した状態でスイッチ装置１を操作することが可能となっている。
【００１９】
（マルチファンクションスイッチの構成）
図３は、本発明の第１の実施の形態に係るスイッチ装置とスイッチ装置に接続されたマルチファンクションスイッチの概略図である。マルチファンクションスイッチ２は、図２及び図３に示すように、スイッチ装置１の近傍に配置されている。ユーザは、ステアリングホイール５２を把持した状態でマルチファンクションスイッチ２を操作することが可能となっている。
【００２０】
マルチファンクションスイッチ２は、例えば、図３に示すように、選択を決定する際に操作される第１の操作部２０と、第１の操作部２０に対する操作を検出して決定操作信号を出力する決定スイッチ２１と、外部装置３の表示部３０に表示されるカーソル等を上方向に移動させる第２の操作部２２と、第２の操作部２２に対する操作を検出して上操作信号を出力する上方向スイッチ２３と、カーソル等を下方向に移動させる第３の操作部２４と、第３の操作部２４に対する操作を検出して下操作信号を出力する下方向スイッチ２５と、カーソル等を右方向に移動させる第４の操作部２６と、第４の操作部２６に対する操作を検出して右操作信号を出力する右方向スイッチ２７と、カーソル等を左方向に移動させる第５の操作部２８と、第５の操作部２８に対する操作を検出して左操作信号を出力する左方向スイッチ２９と、を備えて概略構成されている。
【００２１】
この決定スイッチ２１、上方向スイッチ２３、下方向スイッチ２５、右方向スイッチ２７及び左方向スイッチ２９は、第１及び第２のスイッチ１４、１６と同様に周知の機械式スイッチ又は非接触スイッチ等から概略構成されている。
【００２２】
（外部装置の構成）
スイッチ装置１に接続される外部装置３は、例えば、音楽再生装置、ナビゲーション装置、映像再生装置等である。外部装置３は、図１に示すように、画像を表示する表示部３０と、画像群４を記憶する記憶部３１と、画像処理等を行う制御部３２と、を備えて概略構成されている。
【００２３】
（画像群の階層構造について）
図４は、本発明の第１の実施の形態に係る記憶部に記憶された画像群の階層構造を示した概略図であり、図５（ａ）〜（ｂ）は、本発明の第１の実施の形態に係る表示部に表示された画像の概略図であり、（ａ）は表示部３０に表示された第１の画像４０、（ｂ）は表示部３０に表示された第２の画像４１、（ｃ）は表示部３０に表示された第３の画像４２を示している。なお、図５（ａ）は、後述する音楽アイコン４０１が選択された状態を示している。
【００２４】
画像群４は、例えば、図４に示すように、第１〜第ｎの階層を具備する階層構造を有している。第１の階層は、例えば、最上階層であり、第１の画像４０が関連付けられている。この第１の画像４０は、例えば、図５（ａ）に示すように、複数のアイコンを含み、ユーザは、このアイコンを選択し、その選択を決定することによって、表示部３０に次の階層の画像を表示させることができる。
【００２５】
第１の画像４０は、図５（ａ）に示すように、例えば、選択して決定することで、所望の地図を検索及び表示させるメニューを含む画像に移動する地図アイコン４００、音楽又は映像を検索及び再生させるメニューを含む画像に移動する音楽アイコン４０１、アドレス帳を検索及び表示させるメニューを含む画像に移動するアドレスアイコン４０２、各種設定を行えるメニューを含む画像に移動する設定アイコン４０３、登録情報等を含む画像に移動する登録アイコン４０４、及び各種情報を含む画像に移動する情報アイコン４０５を有して概略構成されている。
【００２６】
ここで、画像群４に含まれる画像は、例えば、画像の情報だけではなく、画像に関連した情報を有している。画像に関連した情報とは、例えば、各アイコンの情報や、どのアイコンを選択、決定されるとどの階層の画像を表示部３０に表示させるかといった情報や、画像内でのアニメーション等の情報等である。
【００２７】
第２の画像４１は、例えば、第１の画像４０の音楽アイコン４０１を選択、決定したときに表示される画像であり、記憶部３１に記憶されたアルバムのジャケットを左右に表示し、さらに現在選ばれているアルバム４１０のジャケットを中央に大きく表示している。この第２の画像４１は、例えば、図４に示すように、第２の階層に属している。
【００２８】
第３の画像４２は、例えば、第２の画像４１において選択、決定されたアルバム４１０のタイトルや曲名を示すタイトル表示４２０を含んで表示される画像である。この第３の画像４２は、例えば、第３の階層に属している。
【００２９】
（スイッチ装置の動作）
以下に、本実施の形態に係るスイッチ装置１の動作について、各図を参照しながら説明する。ユーザがマルチファンクションスイッチ２を操作して第３の階層に属する第３の画像４２を表示部３０に表示させている状態から、１つ上階層の画像である第２の画像４１を表示させる動作について説明する。
【００３０】
（１つ上階層の画像の表示について）
図６（ａ）は、本発明の第１の実施の形態に係る表示部に表示された第３の画像の概略図であり、（ｂ）は、スイッチ装置に対する第１の操作に関する概略図であり、（ｃ）は、表示部に表示された第２の画像の概略図である。
【００３１】
まず、ユーザは、図６（ａ）に示すように、マルチファンクションスイッチ２を操作して表示部３０に第３の画像４２を表示させる。
【００３２】
次に、ユーザは、図６（ｂ）に示すように、スイッチ装置１の操作部１０に対して第１の操作を行う。
【００３３】
ここで、第１の操作は、例えば、操作部１０のストローク量Ｗ１（例えば、２〜３ｍｍ。）で行われ、この第１の操作に基づいて第１のスイッチ１４から第１の操作信号が出力される。また、第２の操作は、第１の操作からのストローク量Ｗ２（例えば、２〜３ｍｍ。）、つまり第１の操作前からでは、ストローク量Ｗ１＋Ｗ２で行われ、この第２の操作に基づいて第２のスイッチ１６から第２の操作信号が出力される。
【００３４】
スイッチ装置１の制御部１００は、第１のスイッチ１４から取得した第１の操作信号に基づいて第３の画像４２の１つ上階層の画像（例えば、第２の画像４１。）を表示部３０に表示させる制御信号を生成し、この制御信号を外部装置３に出力する。
【００３５】
外部装置３の制御部３２は、スイッチ装置１から取得した制御信号に基づいてスイッチ装置１に対して第１の操作が行われたと判定し、図６（ｃ）に示すように、第３の画像４２の１つ上階層の画像である第２の画像４１を、記憶部３１の画像群４から読み出して表示部３０に表示させる。
【００３６】
（最上階層の画像の表示について）
以下に、ユーザがマルチファンクションスイッチ２を操作して第３の階層に属する第３の画像４２を表示部３０に表示させている状態から、最上階層の画像である第１の画像４０を表示させる動作について説明する。
【００３７】
図７（ａ）は、本発明の第１の実施の形態に係る表示部に表示された第３の画像の概略図であり、（ｂ）は、スイッチ装置に対する第２の操作に関する概略図であり、（ｃ）は、表示部に表示された第１の画像の概略図である。
【００３８】
まず、ユーザは、図７（ａ）に示すように、マルチファンクションスイッチ２を操作して表示部３０に第３の画像４２を表示させる。
【００３９】
次に、ユーザは、図７（ｂ）に示すように、スイッチ装置１の操作部１０に対して第２の操作を行う。
【００４０】
スイッチ装置１の制御部１００は、第２のスイッチ１６から取得した第２の操作信号に基づいて第３の画像４２の最上階層の画像（例えば、第１の画像４０。）を表示部３０に表示させる制御信号を生成し、この制御信号を外部装置３に出力する。
【００４１】
外部装置３の制御部３２は、スイッチ装置１から取得した制御信号に基づいてスイッチ装置１に対して第２の操作が行われたと判定し、図７（ｃ）に示すように、第３の画像４２の最上階層の画像である第１の画像４０を、記憶部３１の画像群４から読み出して表示部３０に表示させる。
【００４２】
（第１の実施の形態の効果）
本発明の第１の実施の形態によれば、以下の効果が得られる。
（１）１つの操作部１０に対して２段階の操作を行うことで、外部装置３の表示部３０に表示された画像を、１つ上階層の画像、又は最上階層の画像に切り替えて表示させることができるので、２つの操作部によって上記の機能を実現する装置と比べて、ユーザは、スイッチ装置１に視線移動することなく、直感的に操作することができる。また、部品点数が少なくなり、スイッチ装置１の製造コストを抑えることができる。
（２）操作部１０に対する２段階のプッシュ操作によって上記の機能を実現することができるので、押し換えや長押しによって画像を切り替える装置と比べて、ユーザの操作性が向上する。
（３）１つの操作部１０によって上記の機能を実現するので、多数の操作部によって上記の機能を実現する装置と比べて、ステアリング５０のような搭載スペースが限られた場所に配置する自由度が高い。
【００４３】
［第２の実施の形態］
以下に、本発明の第２の実施の形態について説明する。第２の実施の形態は、操作部１０に対するタッチ操作を検出することができる点で第１の実施の形態と異なっている。以下では、第１の実施の形態と同様の機能及び構成を有する部分については、第１の実施の形態と同じ符号を付し、その説明は省略するものとする。
【００４４】
（スイッチ装置の構成）
図８は、本発明の第２の実施の形態に係るスイッチ装置に関するブロック図であり、図９（ａ）は、本発明の第２の実施の形態に係るタッチ操作に関する概略図であり、（ｂ）は、タッチ操作によって表示部に表示された画像の概略図である。本実施の形態に係るスイッチ装置１は、図８に示すように、さらに、タッチスイッチ１８を備えている。また、スイッチ装置１の操作部１０は、例えば、導電性を有する膜により表面に電極が形成されたもの、又は内部や裏側に電極が形成されたものであり、スイッチ装置１は、図９（ａ）に示すユーザの手指の接触による、手指と電極間の静電容量をタッチスイッチ１８によって検出してタッチ操作信号として出力するように構成されている。
【００４５】
制御部１００は、図９（ｂ）に示すように、タッチ操作信号を取得すると、現在の画像（例えば、第３の画像４２。）に、現在の画像の１つ上階層の画像（例えば、第２の画像４１。）、及び最上階層の画像（例えば、第１の画像４０。）を縮小した第１及び第２の縮小画像４３０、４３１を、重畳させる制御信号を生成し、外部装置３に出力する。
【００４６】
図９（ｂ）に示す選択画像４３は、例えば、現在の画像に、第１及び第２の縮小画像４３０、４３１を重畳して表示部３０に表示された画像を示している。この選択画像４３の生成は、制御信号に基づいて外部装置３の制御部３２が行うものとする。
【００４７】
（スイッチ装置の動作）
以下に、本実施の形態に係るスイッチ装置１の動作について、各図を参照しながら説明する。ユーザがマルチファンクションスイッチ２を操作して第３の階層に属する第３の画像４２を表示部３０に表示させている状態から、１つ上階層の画像である第２の画像４１、叉は最上階層の画像である第１の画像４０を表示させる動作について説明する。
【００４８】
（１つ上階層の画像の表示について）
図１０（ａ）は、本発明の第２の実施の形態に係る表示部に表示された第３の画像の概略図であり、（ｂ）は、スイッチ装置に対するタッチ操作に関する概略図であり、（ｃ）は、表示部に表示された選択画像の概略図であり、（ｄ）は、スイッチ装置に対する第１の操作に関する概略図であり、（ｅ）は、表示部に表示された第２の画像の概略図である。
【００４９】
まず、ユーザは、図１０（ａ）に示すように、マルチファンクションスイッチ２を操作して表示部３０に第３の画像４２を表示させる。
【００５０】
次に、ユーザは、図１０（ｂ）に示すように、操作部１０に対してタッチ操作を行う。
【００５１】
タッチスイッチ１８は、ユーザのタッチ操作に基づいてタッチ操作信号を制御部１００に出力する。制御部１００は、タッチスイッチ１８から取得したタッチ操作信号に基づいて選択画像４３を表示部３０に表示させる制御信号を生成し、この制御信号を外部装置３に出力する。
【００５２】
外部装置３の制御部３２は、制御信号を取得すると、図１０（ｃ）に示すように、選択画像４３を表示部３０に表示させる。
【００５３】
次に、ユーザは、図１０（ｄ）に示すように、スイッチ装置１の操作部１０に対して第１の操作を行う。なお、タッチ操作及び第１の操作は、連続して行われることが望ましいが、タッチ操作が終了した後、一定時間選択画像４３を表示させ、その一定時間中に第１又は第２の操作が行われた場合、次の処理を進めるようにしても良い。
【００５４】
スイッチ装置１の制御部１００は、第１のスイッチ１４から取得した第１の操作信号に基づいて選択画像４３の第１の縮小画像４３０が選択されたと判定し、第１の縮小画像４３０に対応する第２の画像４１を表示部３０に表示させる制御信号を生成し、この制御信号を外部装置３に出力する。
【００５５】
外部装置３の制御部３２は、スイッチ装置１から取得した制御信号に基づいてスイッチ装置１に対して第１の操作が行われたと判定し、図１０（ｅ）に示すように、第２の画像４１を、記憶部３１の画像群４から読み出して表示部３０に表示させる。
【００５６】
（最上階層の画像の表示について）
図１１（ａ）は、本発明の第２の実施の形態に係る表示部に表示された第３の画像の概略図であり、（ｂ）は、スイッチ装置に対するタッチ操作に関する概略図であり、（ｃ）は、表示部に表示された選択画像の概略図であり、（ｄ）は、スイッチ装置に対する第２の操作に関する概略図であり、（ｅ）は、表示部に表示された第１の画像の概略図である。
【００５７】
まず、ユーザは、図１１（ａ）に示すように、マルチファンクションスイッチ２を操作して表示部３０に第３の画像４２を表示させる。
【００５８】
次に、ユーザは、図１１（ｂ）に示すように、操作部１０に対してタッチ操作を行う。
【００５９】
タッチスイッチ１８は、ユーザのタッチ操作に基づいてタッチ操作信号を制御部１００に出力する。制御部１００は、タッチスイッチ１８から取得したタッチ操作信号に基づいて選択画像４３を表示部３０に表示させる制御信号を生成し、この制御信号を外部装置３に出力する。
【００６０】
外部装置３の制御部３２は、制御信号を取得すると、図１１（ｃ）に示すように、選択画像４３を表示部３０に表示させる。
【００６１】
次に、ユーザは、図１１（ｄ）に示すように、スイッチ装置１の操作部１０に対して第２の操作を行う。
【００６２】
スイッチ装置１の制御部１００は、第２のスイッチ１６から取得した第２の操作信号に基づいて選択画像４３の第２の縮小画像４３１が選択されたと判定し、第２の縮小画像４３１に対応する第１の画像４０を表示部３０に表示させる制御信号を生成し、この制御信号を外部装置３に出力する。
【００６３】
外部装置３の制御部３２は、スイッチ装置１から取得した制御信号に基づいてスイッチ装置１に対して第２の操作が行われたと判定し、図１１（ｅ）に示すように、第１の画像４０を、記憶部３１の画像群４から読み出して表示部３０に表示させる
【００６４】
（第２の実施の形態の効果）
本発明の第２の実施の形態によれば、ユーザは、タッチ操作によって、第１及び第２の操作によって移動できる画像を選択画像４３として確認することができるので、選択画像を表示しない場合と比べて、ユーザの操作性が向上する。
【００６５】
なお、本発明は、上記した実施の形態に限定されず、本発明の技術思想を逸脱あるいは変更しない範囲内で種々の変形および組み合わせが可能である。
【符号の説明】
【００６６】
１…スイッチ装置、２…マルチファンクションスイッチ、３…外部装置、４…画像群、５…車両、１０…操作部、１２…スイッチ部、１４…第１のスイッチ、１６…第２のスイッチ、１８…タッチスイッチ、２０…第１の操作部、２１…決定スイッチ、２２…第２の操作部、２３…上方向スイッチ、２４…第３の操作部、２５…下方向スイッチ、２６…第４の操作部、２７…右方向スイッチ、２８…第５の操作部、２９…左方向スイッチ、３０…表示部、３１…記憶部、３２…制御部、４０…第１の画像、４１…第２の画像、４２…第３の画像、４３…選択画像、５０…ステアリング、５１…基部、５２…ステアリングホイール、１００…制御部、４００…地図アイコン、４０１…音楽アイコン、４０２…アドレスアイコン、４０３…設定アイコン、４０４…登録アイコン、４０５…情報アイコン、４１０…アルバム、４２０…タイトル表示、４３０…第１の縮小画像、４３１…第２の縮小画像
【図１】
2011098689.tif 000003
【図２】
2011098689.tif 000004
【図３】
2011098689.tif 000005
【図４】
2011098689.tif 000006
【図５】
2011098689.tif 000007
【図６】
2011098689.tif 000008
【図７】
2011098689.tif 000009
【図８】
2011098689.tif 000010
【図９】
2011098689.tif 000011
【図１０】
2011098689.tif 000012
【図１１】
2011098689.tif 000013